(57)【要約】【課題】  より低アウトガス化を図り、なおかつ低トルクで、長期的潤滑性能に優れた潤滑剤を使用した転がし軸受を提供すること。【解決手段】  内輪２と外輪４との間に転動体としての玉５が配設され、各玉５が保持器７で保持されながら内輪７または外輪４を起動輪として転動する転がり軸受８において、潤滑剤として、イオン性流体が封入されている。【選択図】        図１
2006258142.tif 000002
【特許請求の範囲】
【請求項１】
内輪と外輪との間に複数の転動体が配設され、前記各転動体が保持器に保持された状態で前記内輪または外輪を軌道輪として転動する転がり軸受において、潤滑剤として、イオン性液体が封入されていることを特徴する転がり軸受。
【発明の詳細な説明】
【技術分野】
【０００１】
本発明は、転がり軸受に関し、特に、ハードディスクドライブ（以下、ＨＤＤと称する）の構成部品の１つであるアクチュエータ（特にスイングアーム）に組み込まれた軸受またはユニットとしてＨＤＤに使用される転がり軸受に関する。
【背景技術】
【０００２】
従来のＨＤＤにおいては、転がり軸受が作動系構成部品として用いられているが、磁気ヘッド部と磁気ディスクとの間隙（フライングハイト）がある程度広く設定されていたため、磁気ディスク上に少量の異物が付着しても、磁気ヘッド部と異物との接触に起因する致命的な障害は発生しにくかった。それ故、ＨＤＤ用軸受に使用される潤滑剤においては、潤滑性能の向上（長期的耐久性）が最優先課題とされており、低アウトガス性能は潤滑性能の向上に比して重要視されていなかった。
【０００３】
しかし、近年のＨＤＤは、より高記録密度化、高精度化が進み、フライングハイトが１０ｎｍ以下へと極端に狭いものになりつつある。このような微小間隙を有するＨＤＤにおいては、磁気ディスク上への異物の付着は致命的な障害になりかねない。異物の付着は固体物質に限らず、潤滑油のような液状物質であっても磁気ディスク表面に付着することで、磁気ヘッドとの隙間に潤滑油が溜まり、磁気ディスクと磁気ヘッド部とが吸着する問題や付着した潤滑油により、”揺らぎ”が生じて正常な読み書きができなくなる可能性がある。
【０００４】
さらに、ＨＤＤの薄型化に伴うＶＣＭ（ボイスコイルモータ）出力の低下に対する軸受への低トルク化が要求されている。
また、ＨＤＤの構造上、アクチュエータに組み込まれる転がり軸受ユニットは、磁気ディスクの極近傍に配置されているため、コンタミネーションの影響を及ぼしやすい。さらには、ＨＤＤの薄型化に伴うＶＣＭ（ボイスコイルモータ）出力の低下に対する軸受への低トルク化が要求されている。
【０００５】
このような課題に対して、潤滑剤として、２５℃における蒸気圧が１．３×１０-3Ｐａ以下である合成潤滑油を封入したものが提案されている（特許文献１参照）。
【特許文献１】特開２００２−１３０３０４号公報（第２頁〜第３頁、図１）
【発明の開示】
【発明が解決しようとする課題】
【０００６】
従来技術においては、転がり軸受に封入される潤滑剤として、２５℃における蒸気圧が１．３×１０~3Ｐａ以下である合成樹脂油を用いているため、より低アウトガス化及び低トルク化を図ることができる。しかし、潤滑剤として、さらにより低アウトガス化及び低トルク化が達成できるものが要求されている。
【０００７】
そこで、本発明の目的は、より低アウトガス化を図り、なおかつ低トルクで、長期的潤滑性能に優れた潤滑剤を使用した転がし軸受を提供することにある。
【課題を解決するための手段】
【０００８】
前記課題を解決するために、本発明は、内輪と外輪との間に複数の転動体が配設され、前記各転動体が保持器に保持された状態で前記内輪または外輪を軌道輪として転動する転がり軸受において、潤滑剤として、イオン性液体が封入されていることを特徴する転がり軸受を構成したものである。
【０００９】
前記した手段によれば、グリースのような基油や添加剤などの蒸発がなく、流動性に富んだ潤滑剤として、低蒸気圧であるイオン性液体からなる潤滑油を潤滑剤として軸受内部に封入するようにしたため、より低トルク化及び低アウトガス化を図ることができる。この転がり軸受をＨＤＤアクチュエータユニットに組み込んだ場合、トルク性能及びアウトガス性能及び耐久性能の向上を図ることができる。
【００１０】
また、イオン性液体は従来の潤滑油のように絶縁体でなく、ある程度の導電性を備えているため、磁気ヘッドとディスクとの間隙が微小であって、磁気ヘッドに帯電した静電気がスパークを起こすことがあっても、液体自身が導電性を持つことでアース効果が図れ、静電気のスパークに伴う影響を払拭することも可能である。
【発明の効果】
【００１１】
本発明によれば、より低トルク化及び低アウトガス化を図ることができる。
【発明を実施するための最良の形態】
【００１２】
以下、本発明の一実施形態を図面に基づいて説明する。図１は本発明の一実施例を示す転がり軸受の縦断面図、図２はＨＤＤアクチュエータ用転がり軸受ユニットの縦断面図である。
【００１３】
図１及び図２において、ＨＤＤアクチュエータ用転がり軸受ユニットは、図２に示すように、転がり軸受８とハウジング９を備えて構成されている。ハウジング９は軸１０の外周側に装着されており、ハウジング９には転がり軸受８が複数個装着されている。
【００１４】
転がり軸受８は、ＨＤＤ用転がり軸受として、図１に示すように、外周面に内輪起動面１を有する内輪２と、内周面に外輪起動面３を有する外輪４とを同心状に配置し、内輪起動面１と外輪起動面３との間に転動体としての玉５が複数個配置されており、各玉５は保持器５で保持された状態で内輪起動面１または外輪起動面３に沿って転動するようになっている。すなわち各玉５は内輪２または外輪４を起動輪として転動するようになっている。
【００１５】
転がり軸受８においては、内輪２の内輪起動面１及び外輪４の外輪起動面３、玉５および保持器７の表面に潤滑剤（図示せず）が被覆または封入されており、外輪４の両端部内周面には、それぞれ円輪状のシール板６が係止され、潤滑剤が軸受８の外部に漏洩したり、また外部に浮遊する塵埃が転がり軸受８内部に浸入したりするのを防止するようになっている。
【００１６】
次に、本発明に係るＨＤＤアクチュエータ用転がり軸受に用いる潤滑剤の詳細を説明する。転がり軸受８内部に封入する潤滑剤として用いるイオン性液体には、脂肪族アミン系、脂環式アミン系、イミダゾリウム系、ピリジン系などをカチオンに挙げることができる。これらの化学式を化１〜化４で示す。
【００１７】
【化１】
2006258142.tif 000003
【００１８】
【化２】
2006258142.tif 000004
【００１９】
【化３】
2006258142.tif 000005
【００２０】
【化４】
2006258142.tif 000006
【００２１】
また、アニオン（Ｘ-）には、ＢＦ4-、ＰＦ6-、[（ＣＦ3ＳＯ2）2Ｎ] -，Ｃｌ-，Ｂｒ-などを挙げることができる。Ｒはアルキル基またはアルコキシ基を示す。
特にイミダゾリウム系カチオンを用いたイオン性流体が好ましく、さらに、イミダゾリウム系カチオンに含まれるＲ（炭素鎖長）を長くすることが好ましい。炭素数としては、Ｃ２以上の組み合わせが好ましい。特に、側鎖炭素鎖長を伸ばすことで、イオン間の静電気相互作用が弱まり、流動点が下がる一方、炭素鎖の分子間相互作用が働き、動粘度を増加させることができることから、幅広い温度領域での使用が可能となる。
【００２２】
例えば、４０℃動粘度は、おおよそ１２ｍｍ2／ｓから２６０ｍ2／ｓ程度ものが知られ、イオン液体を単独または組み合わせることによって、適切な動粘度を得ることができる。
【００２３】
イオン性流体を転がり軸受８内部に封入する量は、軸受８内部空間容積の０．１％〜１０％が好ましい。さらに、耐摩耗性（耐フレッチング性）、潤滑油漏洩を考慮すれば、０．２５％〜５％が好ましい。塗油方法には限定されないが、潤滑油を極微少量計量できるマイクロシリンジやプランジャーポンプによって規定量計り取り、内輪２、外輪４、転動体（玉）５、保持器７が組みあがった状態で転動体５上に吐き出し、転がり軸受８を数回転、回転させる方法が好ましい。
【００２４】
また、潤滑油の漏洩を防ぐために、より薄膜として潤滑油を塗膜する場合は、潤滑油を溶剤に希釈し、転がり軸受８を浸漬するか、転がり軸受８外部への潤滑油付着を避けるために、潤滑油希釈液を転がり軸受８内部の転動体５上に吐き出した後に、乾燥させることで潤滑油を塗膜する方法もある。
【００２５】
このように、転がり軸受８内部にイオン性液体を封入したＨＤＤアクチュエータユニットによれば、さらなる低トルク化、低トルク変動化、低アウトガス化が図れ、信頼性が高く、且つ高性能なアクチュエータユニットを提供することができる。
【００２６】
[実施例]
以下、実施例及び比較例により本発明を明確にする。
以下の試料(1)〜(6)を基にイオン性液体について評価を行い、その効果の確認を行った。
試料(1)〜(4)に用いたカチオンの化学式を化５〜化８に示す
【００２７】
【化５】
2006258142.tif 000007
【００２８】
【化６】
2006258142.tif 000008
【００２９】
【化７】
2006258142.tif 000009
【００３０】
【化８】
2006258142.tif 000010
【００３１】
試料(1)のアニオンには、（ＣＦ3ＳＯ2）2Ｎ-、試料(2)のアニオンには、（ＣＦ3ＳＯ2）2Ｎ-を用い、試料(3)のアニオンには、ＢＦ4-を用い、試料(4)のアニオンにはＰＦ6-を用いた。
【００３２】
また、試料(5)は試料(4)／(1)＝４／６とし、試料(6)は試料(3)／試料(2)＝８／２とした。
【００３３】
試料(1)〜試料(6)を用いた実施例１〜実施例６の内容を次の表１に示し、比較例１〜比較例４の内容を次の表２に示す。
【００３４】
【表１】
2006258142.tif 000011
【００３５】
【表２】
2006258142.tif 000012
【００３６】
[トルク評価試験]
供試軸受（転がり軸受）として、ＳＲ１８１０（外径１２．７ｍｍ、内径７．９４ｍｍ、幅３．９７ｍｍ）のものを用い、この軸受の内輪を低速で回転させ、外輪のトルクを測定した。
回転数：２ｒｐｍ
グリース封入による軸受のトルクを１とした。
実施例１〜実施例６のものは動粘度にほとんど影響されず低トルクを得ることができた。
【００３７】
[アウトガス試験]
軸受空間容積の約３％をイオン性液体の封入量（グリースは軸受空間容積の約５％を封入量）として、８５℃で１ｈ加熱したときに発生したガス成分を質量分析型ガスクロマトグラフ（ＧＣＭＳ）にて分析し、発生した炭化水素のトータル量（デカン換算）を比較し、合成油−鉱油系グリースのアウトガス量を１としたときのアウトガス量を求めた。
【００３８】
比較例１〜比較例３ではアウトガスを少なくできないのに対して、実施例１〜実施例６ではアウトガス量が少なく、低アウトガス化が図れることが確認できた。
【図面の簡単な説明】
【００３９】
【図１】本発明の一実施例を示す転がり軸受の縦断面図である。
【図２】ＨＤＤアクチュエータ用転がり軸受ユニットの縦断面図である。
【符号の説明】
【００４０】
２  内輪
４  外輪
５  玉（転動体）
７  保持器
８  転がり軸受
【図１】
2006258142.tif 000013
【図２】
2006258142.tif 000014